(57)【要約】【課題】断熱効果の低下を防止することができるとともに、ボックスを所定位置に確実に固定することができる構造体へのボックスの取付構造及びボックス当接体を提供する。【解決手段】配線用ボックス１０をコンクリート壁２６との間に断熱材２７を介在させた状態で固定釘２３によりコンクリート壁２６に取り付け固定したとき、一対のボックス当接体２４の一端はコンクリート壁２６に当接し、他端は配線用ボックス１０の背面に当接する。それらのボックス当接体２４の軸線方向への長さは断熱材２７の厚みとほぼ対応する。そのため、配線用ボックス１０は、コンクリート壁２６との間に所定の間隔を維持した状態で固定される。【選択図】　　　図１
2004048993.tif 000002
【特許請求の範囲】
【請求項１】
建築物の構造体と、ケーブル等の配線用又は給水管等の配管用に使用されるボックスとの間に断熱材を介在させた状態で、固定部材により前記構造体にボックスを取付固定する構造であって、
前記ボックスの外面に一端が当接するとともに、ボックスの外面から断熱材を貫通して構造体方向へ延び、構造体に他端が当接して両者の間隔を維持するようにボックス当接体を配置して、前記固定部材によりボックスを断熱材を介して構造体に取付固定した構造体へのボックスの取付構造。
【請求項２】
前記ボックス当接体の軸線方向への長さは、断熱材の厚みとほぼ同じに構成されている請求項１に記載の構造体へのボックスの取付構造。
【請求項３】
建築物の構造体と配線用又は配管用に使用されるボックスとの間に断熱材を介在させた状態において、
前記ボックスの外面に一端が当接するとともに、断熱材を貫通して構造体方向へ延び、構造体に他端が当接して両者の間隔を維持するようにボックスと構造体との間に配置されるボックス当接体。
【請求項４】
前記ボックスの外面に形成された取付部に係脱可能に配置される請求項３に記載のボックス当接体。
【発明の詳細な説明】
【０００１】
【発明の属する技術分野】
この発明は、ケーブルの配線又は給水管等の配管接続に使用されるボックスを、建築物のコンクリート壁等の構造体に対して、断熱材を介した状態で取付固定する構造体へのボックスの取付構造及びボックス当接体に関するものである。
【０００２】
【従来の技術】
近年の、建築物の壁構造は構造体としてのコンクリート壁の一面に断熱材を固定配置し、その断熱材の表面に石膏ボード等の壁材を固定配置して構成されている。そして、この壁構造に対してスイッチ器具を取り付ける場合、まず、断熱材上に配線用ボックスを配置する。この配線用ボックスは合成樹脂材料により開口を有する四角箱状に形成され、その周壁にはケーブルを配線用ボックス内に挿入可能な挿入孔が形成されている。また、配線用ボックスの底壁には挿通孔がその底壁を貫通して複数箇所に形成されている。
【０００３】
次に、その配線用ボックスの挿通孔から固定釘を挿通し、断熱材を貫通させてコンクリート壁に固定釘を打ち込む。その結果、配線用ボックスがコンクリート壁との間に断熱材を介在させた状態で、コンクリート壁に取り付け固定される。
【０００４】
そして、断熱材を介してコンクリート壁に取り付け固定された配線用ボックスの挿入孔から内部にケーブルを配線し、そのケーブルにスイッチを接続する。さらに、そのスイッチ及びケーブルを配線用ボックス内に収容して、配線用ボックスの開口にスイッチプレート等を取り付けて開口を閉鎖していた。
【０００５】
【発明が解決しようとする課題】
ところが、配線用ボックスをコンクリート壁との間に断熱材を介在させた状態で、コンクリート壁に取り付け固定するとき、配線用ボックスの挿通孔から固定釘を挿通し、断熱材を貫通させてコンクリート壁にその固定釘を打ち込む。そのため、固定釘の打ち込みに伴う配線用ボックスのコンクリート壁方向への押圧により、断熱材は配線用ボックスにより押圧されて圧縮変形し、配線用ボックスも断熱材中に沈み込んでしまう。
【０００６】
従って、断熱材中の空隙がつぶされ、断熱効果の著しい低下を招くという問題があった。また、圧縮変形した断熱材は元の状態に戻ろうとして配線用ボックスの背面を押圧する。その結果、配線用ボックスがコンクリート壁とは反対方向へ移動してしまい、配線用ボックスを所定位置に固定することができないという問題もあった。
【０００７】
この発明は、このような従来技術に存在する問題点に着目してなされたものである。その目的とするところは、断熱効果の低下を防止することができるとともに、ボックスを所定位置に確実に固定することができる構造体へのボックスの取付構造及びボックス当接体を提供することにある。
【０００８】
【課題を解決するための手段】
上記の目的を達成するために、請求項１に記載の発明の構造体へのボックスの取付構造は、建築物の構造体と、ケーブル等の配線用又は給水管等の配管用に使用されるボックスとの間に断熱材を介在させた状態で、固定部材により前記構造体にボックスを取付固定する構造であって、前記ボックスの外面に一端が当接するとともに、ボックスの外面から断熱材を貫通して構造体方向へ延び、構造体に他端が当接して両者の間隔を維持するようにボックス当接体を配置して、前記固定部材によりボックスを断熱材を介して構造体に取付固定したものである。
【０００９】
請求項２に記載の発明の構造体へのボックスの取付構造は、請求項１に記載の発明において、前記ボックス当接体の軸線方向への長さは、断熱材の厚みとほぼ同じに構成されているものである。
【００１０】
請求項３に記載の発明のボックス当接体は、建築物の構造体と配線用又は配管用に使用されるボックスとの間に断熱材を介在させた状態において、前記ボックスの外面に一端が当接するとともに、断熱材を貫通して構造体方向へ延び、構造体に他端が当接して両者の間隔を維持するようにボックスと構造体との間に配置されるものである。
【００１１】
請求項４に記載の発明のボックス当接体は、請求項３に記載の発明において、前記ボックスの外面に形成された取付部に係脱可能に配置されるものである。
【００１２】
【発明の実施の形態】
以下、この発明の実施形態を、図面に基づいて詳細に説明する。
（第１実施形態）
図１〜図３に示すように、ボックスとしての合成樹脂製の配線用ボックス１０は相対向する一対の短側壁１１及び相対向する一対の長側壁１２よりなる周壁１３と、それらの一端側を閉塞する底壁１４とより開口を有する四角箱状に形成されている。両方の短側壁１１には一対の挿入孔１５が形成され、その挿入孔１５には図示されない電線管が接続されるとともに、その電線管内にケーブルが配線される。
【００１３】
一方の長側壁１２の外面には所定厚さを有するとともに、ほぼ四角形状に形成された取付凸部１６が突出形成されている。その取付凸部１６には長側壁１２を貫通して長孔状の取付孔１７が所定間隔をおいて３箇所に形成されている。そして、建築物を構築するための柱等に対して、取付孔１７からねじをねじ込むことにより、配線用ボックス１０を取付凸部１６を介して柱に取り付けることができるようになっている。
【００１４】
図３に示すように、配線用ボックス１０内の各短側壁１１側の中間位置には端面が開口に臨む固定部１８が形成され、その固定部１８の中心には固定孔１９が形成されている。固定孔１９の内周面には図示されない雌ねじが形成されている。そして、スイッチ等の配線器具を保持固定した配線器具取付用枠の上端部及び下端部に形成された透孔から前記固定孔１９に配線器具取付用のビスを挿通する。さらに、そのビスの雄ねじを固定孔１９の雌ねじに螺合することにより、配線器具を配線器具取付用枠を介して配線用ボックス１０に取り付け固定することができるようになっている。
【００１５】
配線用ボックスの底壁１４の開口側には、円形状をなす凹部２０が所定間隔をおいて４箇所に形成されている。各凹部２０の中心には挿通孔２１が底壁１４を貫通して形成されている。配線用ボックス１０の背面側において、挿通孔２１の開口の外縁には挿通孔２１の内径より大きい外径の円形状をなす取付部２２が凹設されている。そして、配線用ボックス１０の開口側から挿通孔２１に固定部材としての固定釘２３を挿通することができるようになっている。このとき、図１に示すように、各凹部２０の内径及び深さは固定釘２３の頭部２３ａの外径及び厚みと対応し、固定釘２３の頭部２３ａの端面と底壁１４面とは面一になるようになっている。
【００１６】
図３に示すように、ボックス当接体２４は合成樹脂材料により円筒状に形成され、その外径は前記取付部２２の内径と対応し、取付部２２に係合可能になっている。また、ボックス当接体２４内には、その軸線方向へ固定釘２３を挿通可能になっている。ボックス当接体２４の外周面には周方向全体に沿って肉薄部２５が４箇所に形成されている。この肉薄部２５は、図１に示すように、ボックス当接体２４のその他の部分より厚みが薄くなっているため、図３の２点鎖線に示すように、肉薄部２５からボックス当接体２４を折り取ることができ、その軸線方向への長さを調節することができるようになっている。
【００１７】
次に、配線用ボックス１０を、配線用ボックス１０の背面側と構造体としてのコンクリート壁２６との間に断熱材２７を介在させた状態でコンクリート壁２６に取り付ける方法を説明する。
【００１８】
まず、構造体としてのコンクリート壁２６の一面に断熱材２７が固定配置された状態において、断熱材２７を貫通した貫通孔２８を２箇所に形成する。この貫通孔２８は配線用ボックス１０の背面の上端及び下端に形成された取付部２２に対応するようになっている。そして、ボックス当接体２４の軸線方向への長さと断熱材２７の厚みがほぼ同じになるように、ボックス当接体２４の一端を肉薄部２５から折り取る。
【００１９】
このとき、肉薄部２５はボックス当接体２４のその他の部分の厚みより薄くなっているため、容易に折り取ることができる。次いで、両貫通孔２８にボックス当接体２４を挿通し、各ボックス当接体２４の一端をコンクリート壁２６に当接させる。このとき、断熱材２７の厚みとボックス当接体２４の軸線方向への長さはほぼ同じになっているとともに、ボックス当接体２４の他端は断熱材２７の表面からわずかに突出している。
【００２０】
続いて、各ボックス当接体２４に配線用ボックス１０の上端部及び下端部に位置する取付部２２を対応させる。そして、挿通孔２１からボックス当接体２４内へ固定釘２３を挿通するとともに、ボックス当接体２４により固定釘２３をコンクリート壁２６に対して直交するように案内させる。さらに、固定釘２３の頭部２３ａをハンマー等によりたたいて固定釘２３の先端をコンクリート壁２６に打ち込むとともに、固定釘２３の頭部２３ａを凹部２０内に収容する。すると、断熱材２７表面から突出したボックス当接体２４の他端が、取付部２２に係合するとともに、配線用ボックス１０の背面に当接する。
【００２１】
その結果、配線用ボックス１０がコンクリート壁２６との間に断熱材２７を介在させた状態でコンクリート壁２６に取り付け固定される。このとき、断熱材２７の厚みとほぼ同じ長さを有する一対のボックス当接体２４により、配線用ボックス１０とコンクリート壁２６とは断熱材２７の厚さ分だけ距離を維持した状態で固定される。その結果、固定釘２３の打ち込みに伴う配線用ボックス１０の背面による断熱材２７の押圧が防止され、断熱材２７が圧縮変形するのを防止することができる。従って、断熱材２７中の空隙がつぶされるのを防止して、断熱効果の低下を防止することができる。
【００２２】
また、断熱材２７の圧縮変形が防止されるため、断熱材２７による配線用ボックス１０の背面への押圧も防止される。また、ボックス当接体２４の他端は配線用ボックス１０の取付部２２に係合するため、配線用ボックス１０が上下左右方向へ移動するのを防止することができる。従って、配線用ボックス１０を所定位置に確実に固定することができる。
【００２３】
さらに、固定釘２３の頭部２３ａの外径及び厚みは凹部２０の内径及び深さに対応しているため、頭部２３ａが凹部２０内に収容されたとき、頭部２３ａの端面と配線用ボックス１０の底壁１４面とは面一になる。従って、配線用ボックス１０内に収容されるケーブル等が固定釘２３の頭部２３ａに引っかかるのを防止することができる。
【００２４】
前記の第１実施形態によって発揮される効果について、以下に記載する。
・　第１実施形態のコンクリート壁２６への配線用ボックス１０の取付構造によれば、配線用ボックス１０をコンクリート壁２６との間に断熱材２７を介在させた状態でコンクリート壁２６に取り付け固定したとき、一対のボックス当接体２４の一端はコンクリート壁２６に当接し、他端は配線用ボックス１０の背面に当接する。そのため、配線用ボックス１０は、コンクリート壁２６との間に所定の間隔を維持した状態で固定される。その結果、固定釘２３の打ち込みに伴う配線用ボックス１０のコンクリート壁２６方向への移動を防止することができるとともに、配線用ボックス１０の背面による断熱材２７の押圧が防止され、断熱材２７が圧縮変形するのを防止することができる。従って、断熱材２７中の空隙がつぶされるのを防止して、断熱効果の低下を防止することができる。
【００２５】
また、断熱材２７の圧縮変形が防止されるため、断熱材２７による配線用ボックス１０の背面への押圧も防止される。さらに、ボックス当接体２４の他端は配線用ボックス１０の取付部２２に係合するため、挿通孔２１からボックス当接体２４内に固定釘２３を挿通してコンクリート壁２６に固定釘２３を打ち込んだとき、配線用ボックス１０が上下左右方向へ移動するのを防止することができる。従って、配線用ボックス１０を所定位置に確実に固定することができる。
【００２６】
・　第１実施形態のコンクリート壁２６への配線用ボックス１０の取付構造によれば、配線用ボックス１０の背面とコンクリート壁２６との間に、断熱材２７を貫通した一対のボックス当接体２４を介在させた状態で、コンクリート壁２６に配線用ボックス１０を取り付け固定したとき、一対のボックス当接体２４の軸線方向への長さは断熱材２７の厚みとほぼ対応する。そして、そのボックス当接体２４により所定の間隔を維持して、固定釘２３の打ち込みに伴う配線用ボックス１０の背面による断熱材２７の押圧が確実に防止され、断熱材２７が圧縮変形するのをより一層防止することができる。従って、断熱材２７中の空隙がつぶされるのを防止して、断熱効果の低下を確実に防止することができる。
【００２７】
・　第１実施形態のコンクリート壁２６への配線用ボックス１０の取付構造によれば、ボックス当接体２４はその外周面に周方向全体に沿って肉薄部２５が４箇所に形成され、その肉薄部２５はボックス当接体２４のその他の部分より厚みが薄くなっている。そのため、ボックス当接体２４を肉薄部２５より容易に折り取ることができ、その長さを断熱材２７の厚みに対応させることができる。
【００２８】
・　第１実施形態のコンクリート壁２６への配線用ボックス１０の取付構造によれば、ボックス当接体２４は配線用ボックス１０の背面に形成された取付部２２に係脱可能に構成されている。そのため、配線用ボックス１０とボックス当接体２４とを別々にして配線用ボックス１０の収容に要するスペースを小さくして、その運搬等を容易に行うことができる。また、取付部２２は４箇所に形成されているため、ボックス当接体２４を所望とする位置に係合することができる。
【００２９】
・　第１実施形態のコンクリート壁２６への配線用ボックス１０の取付構造によれば、配線用ボックス１０をコンクリート壁２６に取り付けるとき、固定釘２３はボックス当接体２４内を案内されてコンクリート壁２６に打ち込まれる。そのため、ボックス当接体２４により固定釘２３をコンクリート壁２６に対して直交するように打ち込むことができ、固定釘２３により配線用ボックス１０を強固に固定することができる。
【００３０】
・　第１実施形態のコンクリート壁２６への配線用ボックス１０の取付構造によれば、固定釘２３の頭部２３ａの外径及び厚みは配線用ボックス１０の底壁１４の開口側に形成された凹部２０の内径及び深さに対応している。そのため、固定釘２３を挿通孔２１からコンクリート壁２６に打ち込み、頭部２３ａが凹部２０内に収容されたとき、頭部２３ａの端面と配線用ボックス１０の底壁１４面とは面一になる。従って、配線用ボックス１０内に収容されるケーブル等が固定釘２３の頭部２３ａに引っかかるのを防止することができる。
【００３１】
・　第１実施形態のコンクリート壁２６への配線用ボックス１０の取付構造によれば、固定釘２３はボックス当接体２４内を案内されてコンクリート壁２６に打ち込まれる。そのため、固定釘２３の先端が断熱材２７に当接せず、コンクリート壁２６に容易に打ち込むことができる。
【００３２】
・　第１実施形態のボックス当接体２４によれば、一端を配線用ボックス１０の背面に当接させ、他端をコンクリート壁２６に当接せることにより配線用ボックス１０の背面とコンクリート壁２６との間に、ボックス当接体２４の軸線方向への長さとほぼ同じ距離を維持することができる。従って、固定釘２３により配線用ボックス１０を断熱材２７を介在させた状態でコンクリート壁２６に取り付けたとき、断熱材２７が配線用ボックス１０の背面に押圧されて圧縮変形するのを防止することができる。
【００３３】
・　第１実施形態のボックス当接体２４は、配線用ボックス１０の背面の所定位置に４箇所に形成された取付部２２の所望とする位置に係合して使用される。そのため、ボックス当接体２４と配線用ボックス１０とを別々に運搬、保管することができる。従って、その運搬、保管に必要とされる空間を小さくすることができる。
【００３４】
（第２実施形態）
この第２実施形態では、上記第１実施形態と異なる点について主に説明する。図４及び図５に示すように、配線用ボックス１０の背面の四隅部には、その軸線方向への長さが均一なボックス当接体２４が一体成形されている。第２実施形態のボックス当接体２４は配線用ボックス１０の背面からその先端に向かうに従い先細となるとともに、その先端が尖るように形成されている。また、ボックス当接体２４の外周面には、その周方向全体に沿って所定間隔をおいて３箇所に肉薄部２５が形成されている。配線用ボックス１０の底壁１４の中央には挿通孔２１が２箇所形成され、その挿通孔２１に固定釘２３を挿通可能になっている。
【００３５】
そして、第２実施形態の配線用ボックス１０を、その背面とコンクリート壁２６との間に断熱材２７を介在させた状態でコンクリート壁２６に取り付けるとき、まず、配線用ボックス１０のボックス当接体２４を断熱材２７中へ押し込む。このとき、ボックス当接体２４の先端は尖っているため、それらを断熱材２７中に容易に貫通させることができる。その結果、ボックス当接体２４が断熱材２７を貫通して、その先端がコンクリート壁２６に当接する。
【００３６】
その状態において、挿通孔２１から固定釘２３を挿通し、断熱材２７を貫通させて固定釘２３の先端をコンクリート壁２６に打ち込む。その結果、配線用ボックス１０を、その背面とコンクリート壁２６との間に断熱材２７を介在させた状態でコンクリート壁２６に取り付けることができる。
【００３７】
このとき、配線用ボックス１０とボックス当接体２４とは一体成形されているため、挿通孔２１に固定釘２３を挿通して、その固定釘２３を打ち込む作業を安定した状態で行うことができる。
【００３８】
なお、本実施形態は、次のように変更して具体化することも可能である。
・　図６に示すように、配線用ボックス１０の一対の短側壁１１又は長側壁１２の外面に突出部２９を形成し、配線用ボックス１０の背面側に位置する突出部２９の端面に、ボックス当接体２４を係合可能な取付部２２を形成する。そして、円筒状又は基端から先端にかけて先細となるように形成されたボックス当接体２４の一端側又は基端側を取付部２２に係合又は一体化し、他端側又は先端側をコンクリート壁２６に当接させて配線用ボックス１０の背面とコンクリート壁２６との間に所定の距離を維持させる。さらに、配線用ボックス１０の底壁１４に形成された挿通孔２１から固定釘２３を断熱材２７を貫通させて、コンクリート壁２６に打ち込んで配線用ボックス１０を固定しても良い。
【００３９】
このように構成した場合、突出部２９は対向する短側壁１１又は長側壁１２の外面に形成されるため、配線用ボックス１０の強度を向上させることができる。
・　配線用ボックス１０の周壁１３のいずれかの外面に取付部２２としての鍔部を突出形成し、その鍔部に、筒状又は基端側から先端側に向かうに従い先細となるボックス当接体２４を係合又は一体化し、他端側又は先端側を構造体２６に当接させて配線用ボックス１０の周壁１３とコンクリート壁２６との間に所定の距離を維持させる。さらに、固定釘２３を鍔部から又は挿通孔２１から断熱材２７を貫通させて、構造体２６に打ち込んで配線用ボックス１０を固定しても良い。このように構成した場合、配線用ボックス１０のいずれかの周壁１３と構造体２６との間に断熱材２７が介在されるとともに、所定の距離を維持させた状態で、配線用ボックス１０を構造体２６に固定することができる。また、鍔部から固定釘２３を打ち込むとき、容易に打ち込むことができる。
【００４０】
・　配線用ボックス１０の周壁１３のいずれかの外面に取付部２２を形成し、その取付部２２に筒状又は基端側から先端側に向かうに従い先細となるボックス当接体２４を係合又は一体化し、他端側又は先端側を構造体２６に当接させて配線用ボックス１０の周壁１３とコンクリート壁２６との間に所定の距離を維持させる。さらに、固定釘２３を断熱材２７を貫通させて、構造体２６に打ち込んで配線用ボックス１０を固定しても良い。このように構成した場合、配線用ボックス１０のいずれかの周壁１３と構造体２６との間に断熱材２７が介在されるとともに、所定の距離を維持させた状態で、配線用ボックス１０を構造体２６に固定することができる。
【００４１】
・　底壁１４又は周壁１３の外面から、筒状のボックス当接体２４の内径に対応する外径の筒状をなす取付部２２を突出形成し、その取付部２２にボックス当接体２４を係合しても良い。このように構成した場合、取付部２２に係合したボックス当接体２４が上下左右方向へ移動するのを防止することができる。
【００４２】
・　第１実施形態において、ボックス当接体２４を配線用ボックス１０の取付部２２に一体成形しても良い。このように構成した場合、固定釘２３を挿通孔２１からコンクリート壁２６に打ち込む作業を安定した状態で行うことができる。
【００４３】
・　第１実施形態において、配線用ボックス１０の取付部２２に係合するボックス当接体２４を１本、３本又は４本にしてもよい。ボックス当接体２４を１本使用した場合、配線用ボックス１０の背面とコンクリート壁２６との間に所定の距離を維持させた状態で、配線用ボックス１０をコンクリート壁２６に固定することができる。ボックス当接体２４を３本又は４本使用した場合、配線用ボックス１０をコンクリート壁２６により安定した状態で取り付けることができる。
【００４４】
・　第１実施形態において、１〜３箇所のいずれかの取付部２２にボックス当接体２４を係合し、ボックス当接体２４が係合されない取付部２２の挿通孔２１又は挿通孔２１からボックス当接体２４に固定釘２３を挿通して配線用ボックス１０をコンクリート壁２６に固定しても良い。このように構成した場合も、ボックス当接体２４により配線用ボックス１０の背面とコンクリート壁２６との間に所定の距離を維持させた状態で、配線用ボックス１０をコンクリート壁２６に固定することができる。
【００４５】
・　第１実施形態において、ボックス当接体２４を基端側から先端側に向かうに従い先細となるように形成し、その基端側を取付部２２に係合しても良い。そして、ボックス当接体２４が係合されていない挿通孔２１から固定釘２３を断熱材２７を貫通させてコンクリート壁２６に打ち込んでも良い。このように構成した場合も、ボックス当接体２４により配線用ボックス１０の背面とコンクリート壁２６との間に所定の距離を維持させた状態で、配線用ボックス１０をコンクリート壁２６に固定することができる。
【００４６】
・　各実施形態において、ボックス当接体２４を基端側から先端側に向かうに従い先細となる筒状に形成し、その基端側を取付部２２に係合又は一体化しても良い。そして、挿通孔２１から固定釘２３をボックス当接体２４内へ挿通して配線用ボックス１０をコンクリート壁２６に固定しても良い。
【００４７】
このように構成した場合、ボックス当接体２４により断熱材２７を容易に貫通させることができる。
・　各実施形態において、配線用ボックス１０の代わりに、給水、給湯等に使用される管体を接続する配管用ボックスを使用しても良い。このように構成した場合、ボックス当接体２４により配管用ボックスの背面とコンクリート壁２６との間に所定の距離を維持させた状態で、配管用ボックスをコンクリート壁２６に固定することができる。
【００４８】
・　第２実施形態において、配線用ボックス１０の背面に一体形成されるボックス当接体２４の本数を１〜３本のいずれかにしてもよい。
・　各実施形態において、ボックス当接体２４の形状をほぼ円筒状に形成し、その先端部を尖るように先細に形成しても良い。このように構成した場合、ボックス当接体２４を断熱材２７を容易に貫通させることができる。
【００４９】
・　各実施形態において、固定部材としての固定釘２３をコンクリート壁２６にねじ込み可能なねじ等に変更しても良い。このように構成した場合も、配線用ボックス１０をコンクリート壁２６に固定することができる。
【００５０】
・　第１実施形態において、ボックス当接体２４を四角筒状、三角筒状等に変更し、第２実施形態において、ボックス当接体２４を四角錐状、三角錐状等に変更しても良い。
【００５１】
さらに、前記実施形態より把握できる技術的思想について以下に記載する。
・　前記ボックス当接体は、その外周面に周方向に沿って肉薄部が所定間隔をおいて複数箇所に形成されている。
【００５２】
このように構成した場合、肉薄部からボックス当接体を容易に折り取ることができ、ボックス当接体の軸線方向の長さを容易に調節することができる。
・　前記ボックス当接体は、その軸線方向への長さを調節することができるように折り取り可能に構成されている。
【００５３】
このように構成した場合、ボックス当接体の軸線方向への長さを断熱材の厚みに対応させることができ、断熱材の圧縮変形を防止することができる。
・　前記ボックス当接体はボックスの外面に形成された取付部に対して係脱可能に配置される。
【００５４】
このように構成した場合、所望とする取付部にボックス当接体を係合することができる。また、ボックス当接体とボックスとを別々に運搬、保管することができ、その運搬、保管に必要とされる空間を小さくすることができる。
【００５５】
・　前記ボックス当接体はボックスに対して一体形成されて配置される。
このように構成した場合、ボックスを構造体へ固定部材により取り付ける作業を安定した状態で行うことができる。
【００５６】
・　前記ボックス当接体を、固定部材を挿通可能な筒状に形成し、ボックス当接体内に固定部材を挿通してボックスを構造体に固定する。
このように構成した場合、固定部材はボックス当接体内を案内されて構造体に打ち込まれる。そのため、ボックス当接体により固定部材を構造体に対して直交するように容易かつ確実に打ち込むことができ、ボックスを強固に固定することができる。
【００５７】
・　前記ボックス当接体は断熱材への貫通を容易にするように先端形状が尖るように形成されている。
このように構成した場合、ボックス当接体を断熱材中を容易に貫通させることができる。
【００５８】
・　前記ボックス当接体は、前記ボックスの外面に一体形成される。
このように構成した場合、ボックス当接体によりボックスの構造体への取付作業を安定した状態で行うことができる。
【００５９】
【発明の効果】
以上詳述したように、この発明によれば、次のような効果を奏する。
請求項１に記載の発明の構造体へのボックスの取付構造によれば、断熱効果の低下を防止することができるとともに、ボックスを所定位置に確実に固定することができる。
【００６０】
請求項２に記載の発明の構造体へのボックスの取付構造によれば、請求項１に記載の発明の効果に加えて、ボックスと構造体との間に断熱材を介在させてボックスを構造体に取り付けたとき、断熱材が圧縮変形するのを確実に防止することができ、断熱効果の低下をより一層防止することができる。
【００６１】
請求項３に記載の発明のボックス当接体によれば、ボックスの外面と構造体との間に所定の間隔を維持することができ、固定部材によりボックスを構造体に取り付けたとき、断熱材の圧縮変形を防止することができる。従って、断熱効果の低下を防止することができる。
【００６２】
請求項４に記載の発明のボックス当接体によれば、請求項３に記載の発明の効果に加え、ボックスの所望とする位置にボックス当接体を係合することができる。
【図面の簡単な説明】
【図１】第１実施形態の配線用ボックスの取付構造を示す断面図。
【図２】第１実施形態の配線用ボックスを示す斜視図。
【図３】配線用ボックスの取付構造を示す分解斜視図。
【図４】第２実施形態の配線用ボックスを示す斜視図。
【図５】第２実施形態の配線用ボックスの取付構造を示す断面図。
【図６】別例の配線用ボックスとボックス当接体を示す断面図。
【符号の説明】
１０…ボックスとしての配線用ボックス、２２…取付部、２３…固定部材としての固定釘、２４…ボックス当接体、２６…構造体としてのコンクリート壁、２７…断熱材。
【図１】
2004048993.tif 000003
【図２】
2004048993.tif 000004
【図３】
2004048993.tif 000005
【図４】
2004048993.tif 000006
【図５】
2004048993.tif 000007
【図６】
2004048993.tif 000008